(57)【要約】【課題】  蹴る動作により飛翔体を飛ばすことができるようにして、蹴る動作により飛翔体の飛ばし方をコントロールする運動感覚や運動技能を容易に習得することができるようにする。【解決手段】  飛翔体１を慣性力により離脱させて飛翔可能に保持する保持部材１０と、くるぶし（踝）以下の足部Ｆａを含む脚Ｌのいずれかの部位に着脱可能に装着させられるとともに脚Ｌの揺動運動により保持部材１０を介して飛翔体１に慣性力を付与しこの保持部材１０から飛翔体１を離脱させて目標Ｔに飛翔させるようにこの保持部材１０が取り付けられる取付部材２０と、取付部材２０を脚Ｌに装着する装着手段４０とを備えた。【選択図】  図２
2011152205.tif 000002
【特許請求の範囲】
【請求項１】
飛翔体を慣性力により離脱させて飛翔可能に保持する保持部材と、くるぶし以下の足部を含む脚のいずれかの部位に着脱可能に装着させられるとともに脚の揺動運動により上記保持部材を介して上記飛翔体に慣性力を付与し該保持部材から該飛翔体を離脱させて飛翔させるように該保持部材が取り付けられる取付部材と、該取付部材を脚に装着する装着手段とを備えたことを特徴とする運動具。
【請求項２】
上記装着手段を、上記保持部材が足部の甲上に位置するように上記取付部材を足部に装着可能に形成し、上記保持部材を、上記取付部材が足部に装着された状態で上記飛翔体の離脱方向が足部の爪先側になるように形成したことを特徴とする請求項１記載の運動具。
【請求項３】
上記飛翔体を、少なくとも一端に開口を有する挿通穴を有して構成し、上記保持部材を、上記飛翔体の挿通穴の開口から該挿通穴に挿通して該飛翔体を保持する棒状に形成し、該保持部材をその先端が足部の爪先側に位置するように該保持部材の基端を上記取付部材に支持したことを特徴とする請求項２記載の運動具。
【請求項４】
上記飛翔体を、円筒状に形成したことを特徴とする請求項３記載の運動具。
【請求項５】
上記保持部材を、先端に開放口を有し基端が閉塞され上記飛翔体を上記開放口から挿入して保持する筒状に形成し、該保持部材を先端が足部の爪先側に位置するように該保持部材の基端を上記取付部材に支持したことを特徴とする請求項２記載の運動具。
【請求項６】
上記保持部材を上記取付部材に対して上記飛翔体の離脱方向が可変になるように支持する可変支持手段を設けたことを特徴とする請求項２乃至５何れかに記載の運動具。
【請求項７】
上記保持部材を複数設けたことを特徴とする請求項２乃至６何れかに記載の運動具。
【請求項８】
上記保持部材を取付部材に対して移動可能にしたことを特徴とする請求項２乃至７何れかに記載の運動具。
【請求項９】
上記装着手段を、上記取付部材が固定され足部の甲を覆う覆い部を有した履物で構成したことを特徴とする請求項２乃至８何れかに記載の運動具。
【請求項１０】
上記装着手段を、上記取付部材に設けられ足部に巻回されるベルトで構成したことを特徴とする請求項２乃至８何れかに記載の運動具。
【発明の詳細な説明】
【技術分野】
【０００１】
本発明は、脚に装着されて飛翔体を飛翔させる運動具に係り、特に、サッカー等のボールを蹴るスポーツの練習具、これらのスポーツに関係する運動感覚や運動技能を向上させる訓練具として、あるいは、標的に向けて飛翔体を飛ばすゲーム用具として用いることのできる運動具に関する。
【背景技術】
【０００２】
一般に、サッカー等のボールを蹴るスポーツの練習においては、ゴールや人を目標としてボールを繰り返し蹴ることにより、運動感覚や運動技能を向上させることを行っている。しかしながら、実際のボールを用いるので、運動場などの広いスペースを必要とし、部屋などの狭いスペースでは限界がある。
そこで、従来においては、図１１に示すように、飛翔体としてのボール１００を紐１０１の一端１０１ａに連結し、他端１０１ｂを身体に取り付けるようにし、使用するときは、紐１０１の他端１０１ｂを身体に取り付けた状態で、ボール１００を蹴って練習を行うようにした運動具が知られている（例えば、実開平５−１３４７５号公報、特開平８−２８０８６５号公報等に掲載）。これによれば、紐１０１の長さよりボール１００は先に飛ばないので、狭いスペースでの練習を可能にしている。
【先行技術文献】
【特許文献】
【０００３】
【特許文献１】実開平５−１３４７５号公報
【特許文献２】特開平８−２８０８６５号公報
【発明の概要】
【発明が解決しようとする課題】
【０００４】
しかしながら、上記従来の運動具においては、狭いスペースでのボール１００の取り扱いには役立つが、紐１０１の長さよりボール１００は先に飛ばないので、飛翔体としてのボール１００の球筋（経路）が見えないことから、蹴り動作による飛ばし方をコントロールする運動感覚や運動技能を習得することができにくいという問題があった。
尚、従来においては、例えば、ビーチボールのような軽いボールを用いることも行うが、実際のボールと比較して柔らかいことから、ボールの飛び方が緩やかでその経路も不安定になるという欠点がある。また、実際にボールを蹴るので、ボールに足部が当たる音が大きいと、騒音の原因にもなるという問題もある。
【０００５】
本発明は上記の問題点に鑑みて為されたもので、蹴る動作により飛翔体を飛ばすことができるようにして、蹴る動作により飛翔体の飛ばし方をコントロールする運動感覚や運動技能を容易に習得することができるようにするとともに、飛翔体の飛距離を比較的短いものにして、狭いスペースでも用いることができるようにした運動具を提供することを目的とする。
【課題を解決するための手段】
【０００６】
このような目的を達成するための本発明の運動具は、飛翔体を慣性力により離脱させて飛翔可能に保持する保持部材と、くるぶし（踝）以下の足部を含む脚のいずれかの部位に着脱可能に装着させられるとともに脚の揺動運動により上記保持部材を介して上記飛翔体に慣性力を付与し該保持部材から該飛翔体を離脱させて飛翔させるように該保持部材が取り付けられる取付部材と、該取付部材を脚に装着する装着手段とを備えた構成としている。
【０００７】
この運動具を使用するときは、装着手段により取付部材を脚のいずれかの部位に装着し、保持部材に飛翔体を保持した状態で、脚を揺動運動させ、保持部材を介して飛翔体に慣性力を付与し、保持部材から飛翔体を離脱させて飛翔させる。この場合、脚の揺動をコントロールして、飛翔体が目標に向けて飛ぶようにする。そのため、例えば、蹴る動作により飛翔体を飛ばすことができるようになるので、蹴る動作により飛翔体の飛ばし方をコントロールする運動感覚や運動技能を容易に習得することができるようになる。また、この場合、飛翔体は慣性力により飛翔するので、飛翔体の飛距離が比較的短いものになり、そのため、部屋などの狭いスペースでも用いることができるようになることから汎用性が増す。
このため、狭い部屋で、例えばサッカーの多彩なシュートやパスの模擬的練習が、何時でも何処でもできる。それによって、飛翔体の飛翔経路（球筋）を目で確認しながら、微妙なコントロールのセンスを身につけることができる。また、標的に向けて飛翔体を飛ばすゲーム用具にもなり、玩具やレジャー用品としても用いることができる。
【０００８】
そして、必要に応じ、上記装着手段を、上記保持部材が足部の甲上に位置するように上記取付部材を足部に装着可能に形成し、上記保持部材を、上記取付部材が足部に装着された状態で上記飛翔体の離脱方向が足部の爪先側になるように形成した構成としている。
これにより、保持部材が足部の甲上に位置して飛翔体の離脱方向が足部の爪先側になるので、この飛翔体を飛翔させるときは、サッカー等のボールを足部の甲に当てて蹴るように、脚を揺動運動させればよい。そのため、足部の甲で蹴る動作により飛翔体を飛ばすことができるようになるので、サッカー等のスポーツにおける蹴り動作による飛翔体の飛ばし方をコントロールする運動感覚や運動技能をより一層容易に習得することができるようになる。
【０００９】
より詳しくは、本発明においては、飛翔体を脚の揺動（脚の振り）により、飛翔体に慣性力を付与して飛翔させるので、先ず、脚を後ろ側に揺動させ、それから、脚を前側に揺動する（振る）。この場合、脚を後ろ側に揺動させるときは飛翔体が保持部材から落下しないように、できるだけ飛翔体を保持部材に留めておいて、その後、脚を前側に揺動する（振る）過程の所要の位置で、例えば、脚を前側に振り切った位置で、飛翔体が目標に向けて飛翔するように保持部材から離脱させるようにする。脚の振り方により、飛翔体を、真っ直ぐに飛ばすようにすることもでき、あるいは、カーブやシュートなど湾曲軌道を描くように飛ばすこともできる。
【００１０】
この場合、飛翔体の飛行過程を視認することができるので、飛翔体の方向性やカーブやシュートの仕方を体得でき、どのように脚を振り、必要により、どのように捩じりを加えれば、所望の飛ばし方ができるかを習得することができるようになる。また、足部の甲にボールを当てて飛ばす場合に比較して、ボールを当てる場合には、瞬時にボールに当たるので、脚の振り方を体得しにくいが、飛翔体は保持部材に留まる時間が長いので、それだけ、脚の振り方を体得し易くなるという効果がある。
【００１１】
また、必要に応じ、上記飛翔体を、少なくとも一端に開口を有する挿通穴を有して構成し、上記保持部材を、上記飛翔体の挿通穴の開口から該挿通穴に挿通して該飛翔体を保持する棒状に形成し、該保持部材をその先端が足部の爪先側に位置するように該保持部材の基端を上記取付部材に支持した構成としている。
飛翔体の挿通穴に棒状の保持部材を挿通して飛翔体を保持できるので、脚の揺動の際に、飛翔体をできるだけ保持部材に留めておくことができるようにコントロールしやすくなり、それだけ、操作が容易になる。即ち、脚を振る際に、保持部材で飛翔体を保持できるので、飛翔体に保持部材から離脱するときの初速を付与することができる。
【００１２】
この場合、上記飛翔体を、円筒状に形成したことが有効である。これにより、保持部材が真っ直ぐな棒であり、円筒は座りもいいので、タメが作り易く、そのため、安定して飛ばすことができる。また、筒の長さ・重さ・形状によって、飛び方が異なるので、目的に合わせて製作しやすい。更に、筒は保持部材で支えたとき、その間に隙間を作ることができ、そのために自由度が増す。その結果、飛ばし方に多様な工夫ができるようになる。
この際、飛翔体を、全長が棒状の保持部材よりも短く、一端に開口を有し他端が閉塞された円筒状に形成することができる。これによれば、棒状の保持部材の先端に飛翔体の他端内側を当接させて保持できるので、押し出す時の当たりが一定でより安定した球筋にすることができる。
【００１３】
また、必要に応じ、上記保持部材を、先端に開放口を有し基端が閉塞され上記飛翔体を上記開放口から挿入して保持する筒状に形成し、該保持部材を先端が足部の爪先側に位置するように該保持部材の基端を上記取付部材に支持した構成としている。
飛翔体を筒状の保持部材内に挿入して保持できるので、脚の揺動の際に、飛翔体をできるだけ保持部材に留めておくことができるようにコントロールしやすくなり、それだけ、操作が容易になる。即ち、脚を振る際に、保持部材で飛翔体を保持できるので、飛翔体に保持部材から離脱するときの初速を付与することができる。
【００１４】
更に、必要に応じ、上記保持部材を上記取付部材に対して上記飛翔体の離脱方向が可変になるように支持する可変支持手段を設けた構成としている。
取付部材が足部に装着された状態で、可変支持手段により保持部材を動かして飛翔体の離脱方向を調整できるので、飛翔体をコントロールし易い所望の条件で、飛翔体を飛ばすことができ、操作性を向上させることができる。
【００１５】
更にまた、必要に応じ、上記保持部材を複数設けた構成としている。例えば、足部の甲の幅方向に沿って、中央，外側，内側の３個所に設ける。そして、何れかの保持部材を選択して、これに、飛翔体を保持し、上記と同様に飛翔体を飛ばす。この場合、位置の異なる甲の部位から夫々飛翔体を飛ばすことができるので、限りなく実際のボールを蹴った時の「打感」に近くなる運動機能を習得することができるようになる。例えば、サッカーの場合でいえば、中央を選択した場合には通常のキックに対応し、外側を選択した場合にはアウトサイドキックに対応し、内側を選択した場合にはインサイドキックに対応して、どのように脚を振り、必要により、どのように捩じりを加えれば、所望の飛ばし方ができるかを習得することができるようになり、そのため、限りなく実際のボールを蹴った時の「打感」に近くなる運動機能を習得することができるようになるのである。
また、必要に応じ、上記保持部材を取付部材に対して移動可能にした構成としている。これにより、位置の異なる甲の部位に保持部材を移動させることができるので、所望の部位に保持部材を位置決めし、これに、飛翔体を保持し、上記と同様に飛翔体を飛ばす。この場合も、上記の保持部材を複数設けた場合と同様に、位置の異なる甲の部位から夫々飛翔体を飛ばすことができるので、限りなく実際のボールを蹴った時の「打感」に近くなる運動機能を習得することができるようになる。
【００１６】
更にまた、必要に応じ、上記装着手段を、上記取付部材が固定され足部の甲を覆う覆い部を有した履物で構成している。履物にしたので、装着が容易であり、また足部に対する取付部材の保持が確実になる。
また、必要に応じ、上記装着手段を、上記取付部材に設けられ足部に巻回されるベルトで構成している。ベルトにしたので、装着が容易であり、また足部に対する取付部材の保持が確実になる。
【発明の効果】
【００１７】
本発明によれば、蹴る動作により飛翔体を飛ばすことができるようになるので、蹴る動作により飛翔体の飛ばし方をコントロールする運動感覚や運動技能を容易に習得することができるようになる。また、飛翔体は慣性力により飛翔するので、飛翔体の飛距離が比較的短いものになり、そのため、部屋などの狭いスペースでも用いることができるようになることから汎用性が増す。
このため、狭い部屋で、例えばサッカーの多彩なシュートやパスの模擬的練習が、何時でも何処でもできる。それによって、飛翔体の飛翔経路（球筋）を目で確認しながら、微妙なコントロールのセンスを身につけることのできるという効果を奏する。また、標的に向けて飛翔体を飛ばすゲーム用具にもなり、玩具やレジャー用品としても用いることができる。
【図面の簡単な説明】
【００１８】
【図１】本発明の第一の実施の形態に係る運動具を示し、（ａ）は斜視図、（ｂ）は断面図である。
【図２】本発明の第一の実施の形態に係る運動具を使用するときの状態を示す図である。
【図３】本発明の第二の実施の形態に係る運動具を示し、（ａ）は斜視図、（ｂ）は断面図である。
【図４】本発明の第三の実施の形態に係る運動具を示し、可変支持手段の変形例を示す断面図である。
【図５】本発明の第四の実施の形態に係る運動具を示し、装着手段の変形例を示す断面図である。
【図６】本発明の第五の実施の形態に係る運動具を示す斜視図である。
【図７】本発明の第六の実施の形態に係る運動具を示し、（ａ）は斜視図、（ｂ）は断面図である。
【図８】本発明の実施の形態に係る運動具を示し、（ａ），（ｂ)は、第一，第三乃至第六の実施の形態に係る運動具において用いることのできる飛翔体の別の例を示す断面図、（ｃ）は、第二の実施の形態に係る運動具において用いることのできる飛翔体の別の例を示す断面図である。
【図９】本発明の実施の形態に係る運動具を示し、保持体及び飛翔体の別の例を示す図である。
【図１０】本発明の実施の形態に係る運動具の使用例を示す図である。
【図１１】従来の運動具の一例を示す図である。
【発明を実施するための形態】
【００１９】
以下、添付図面に基づいて、本発明の実施の形態に係る運動具について詳細に説明する。
図１及び図２には、本発明の第一の実施の形態に係る運動具Ｓを示している。この運動具Ｓの基本的構成は、飛翔体１と、飛翔体１を保持する保持部材１０と、保持部材１０が取り付けられくるぶし（踝）Ｆａ以下の足部Ｆ（ｆｏｏｔ）を含む脚Ｌ（ｌｅｇ）のいずれかの部位（実施の形態では足部Ｆの甲Ｆｂの上）に着脱可能に装着させられる取付部材２０と、保持部材１０が足部Ｆの甲Ｆｂ上に位置するように取付部材２０を足部Ｆに装着する装着手段４０とを備えて構成されている。
【００２０】
飛翔体１は、少なくとも一端に開口３を有する挿通穴２を有して構成されている。実施の形態では、両端に開口３，３を有する円筒状に形成されており、紙製あるいはプラスチックなどで硬質に形成されている。大きさは、例えば、長さＭがＭ=２０ｍｍ〜１００ｍｍ、外径ＤａがＤａ＝１０ｍｍ〜４５ｍｍ、内径ＤｂがＤｂ＝５ｍｍ〜４０ｍｍの範囲で、重さＧがＧ＝５ｇ〜２０ｇの範囲のものが望ましい。
【００２１】
保持部材１０は、飛翔体１を慣性力により離脱させて飛翔可能に保持するものであり、取付部材２０が足部Ｆに装着された状態で飛翔体１の離脱方向が足部Ｆの爪先Ｆｃ側になるように、飛翔体１の挿通穴２の開口３から挿通穴２に挿通して飛翔体１を保持する棒状に形成されている。また、保持部材１０は可撓性の金属部材で構成されている。そして、この保持部材１０の基端１１は、その先端１２が足部Ｆの爪先Ｆｃ側に位置するように、取付部材２０に支持されている。
【００２２】
取付部材２０は、例えば、金属製の板状に形成されており、保持部材１０の基端１１が溶接等で固着されている。保持部材１０の基端１１の取付部材２０に対する固定は、溶接に限定されるものではなく、ねじ手段や、接着手段など、適宜変更して差し支えない。
【００２３】
また、保持部材１０を取付部材２０に対して飛翔体１の離脱方向が可変になるように支持する可変支持手段３０が設けられている。この可変支持手段３０は、可撓性の金属部材からなる保持部材１０の基端部１３で構成されており、この基端部１３の曲げ具合を調整することにより、取付部材２０に対する保持部材１０の軸線の角度θと方向を調整して、飛翔体１の離脱方向を可変にしている。
【００２４】
装着手段４０は、取付部材２０が固定され足部Ｆの甲Ｆｂを覆う覆い部４２を有した履物４１で構成されている。取付部材２０は、覆い部４２に接着剤を介して固着されている。履物４１は、ゴムなどの樹脂で形成されており、足裏を支持する支持板４３と、支持板に一体に設けられ足部Ｆの爪先Ｆｃ側を覆う上記の覆い部４２を有した前部４４と、支持板４３に架け渡され足部Ｆの踵Ｆｄを支持板４３に対して押さえる押さえバンド４５とから構成されている。履物４１としては、右足用（図示）、左足用（図示せず）のいずれか一方、あるいは、両方備えることができる。
【００２５】
従って、この運動具Ｓを使用するときには、以下のようにする。図１及び図２に示すように、先ず、装着手段４０の履物４１を足部Ｆに装着する。そして、飛翔体１の挿通穴２を棒状の保持部材１０に挿通して保持し、例えば、予め、飛翔体１の目標Ｔ（標的）として、数メートル先に籠Ｔａなどを用意し、この目標Ｔめがけて、飛翔体１を飛ばすようにする。
詳しくは、図２に示すように、脚Ｌを揺動運動させ、保持部材１０を介して飛翔体１に慣性力を付与し、保持部材１０から飛翔体１を離脱させて飛翔させる。例えば、先ず、図２（ａ）に示すように、脚Ｌを後ろ側に揺動させ、それから、図２（ｂ）に示すように、脚Ｌを前側に揺動する（振る）。この場合、脚Ｌを後ろ側に揺動させるときは飛翔体１が保持部材１０から落下しないように、できるだけ飛翔体１を保持部材１０に留めておいて、その後、脚Ｌを前側に揺動する（振る）過程の所要の位置で、例えば、脚Ｌを前側に振り切った位置で、飛翔体１が目標Ｔに向けて飛翔するように保持部材１０から離脱させるようにする。脚Ｌの振り方により、飛翔体１を、真っ直ぐに飛ばすようにすることもでき、あるいは、カーブやシュートなど湾曲軌道を描くように飛ばすこともできる。
【００２６】
この場合、飛翔体１の飛行過程を視認することができるので、飛翔体１の方向性やカーブやシュートの仕方を体得でき、どのように脚Ｌを振り、必要により、どのように捩じりを加えれば、所望の飛ばし方ができるかを習得することができるようになる。また、足部Ｆの甲Ｆｂにボールを当てて飛ばす場合に比較して、ボールを当てる場合には、瞬時にボールに当たるので、脚Ｌの振り方を体得しにくいが、飛翔体１は保持部材１０に留まる時間が長いので、それだけ、脚Ｌの振り方を体得し易くなるという効果がある。
【００２７】
また、この場合、取付部材２０が足部Ｆに装着された状態で、可変支持手段３０により保持部材１０を動かして飛翔体１の離脱方向を調整できる。実施の形態においては、棒状の保持部材１０の基端部１３を適宜曲げ、取付部材２０に対する保持部材１０の軸線の角度θと方向を調整して、飛翔体１の離脱方向を調整する。そのため、飛翔体１をコントロールし易い所望の条件で、飛翔体１を飛ばすことができ、操作性を向上させることができる。
【００２８】
この結果、蹴る動作により飛翔体１の飛ばし方をコントロールする運動感覚や運動技能を容易に習得することができるようになる。
また、飛翔体１は慣性力により飛翔するので、飛翔体１の飛距離が比較的短いものになり、そのため、部屋などの狭いスペースでも用いることができるようになることから汎用性が増す。
このため、狭い部屋で、例えばサッカーの多彩なシュートやパスの模擬的練習が、何時でも何処でもできる。それによって、飛翔体１の飛翔経路（球筋）を目で確認しながら、微妙なコントロールのセンスを身につけることができるという効果を奏する。また、数人で、目標Ｔへ飛ばす技能を競うゲームを行うこともできる。
【００２９】
図３には、本発明の第二の実施の形態に係る運動具Ｓを示している。この運動具Ｓの基本的構成は、飛翔体１と、飛翔体１を保持する保持部材１０と、保持部材１０が取り付けられくるぶし（踝）Ｆａ以下の足部Ｆ（ｆｏｏｔ）を含む脚Ｌ（ｌｅｇ）のいずれかの部位（実施の形態では足部Ｆの甲Ｆｂの上）に着脱可能に装着させられる取付部材２０と、保持部材１０が足部Ｆの甲Ｆｂ上に位置するように取付部材２０を足部Ｆに装着する装着手段４０とを備えて構成されている。
【００３０】
飛翔体１は、ボールで構成されている。例えば、ゴルフボールを用いることができる。
保持部材１０は、飛翔体１を慣性力により離脱させて飛翔可能に保持するものであり、取付部材２０が足部Ｆに装着された状態で飛翔体１の離脱方向が足部Ｆの爪先Ｆｃ側になるように、一端が閉塞された筒状に形成されている。即ち、保持部材１０は、先端に開放口５を有し基端６が閉塞され、飛翔体１を開放口５から挿入して保持する筒状に形成されている。保持部材１０は、先端が足部Ｆの爪先Ｆｃ側に位置するように保持部材１０の基端６を取付部材２０に後述の可変支持手段３０を介して取り付けることにより支持されている。
【００３１】
取付部材２０は、例えば、金属製の板状に形成されている。また、保持部材１０を取付部材２０に対して飛翔体１の離脱方向が可変になるように支持する可変支持手段３０が設けられている。この可変支持手段３０は、可撓性の棒状の金属部材からなり、一端３１が保持部材１０の基端６に固定され、他端３２が取付部材２０に取り付けられている。この可撓性の棒状の金属部材の他端３２は、例えば溶接により固定されている。固定は、溶接に限定されるものではなく、ねじ手段や、接着手段など、適宜変更して差し支えない。
この棒状の金属部材の曲げ具合を調整することにより、取付部材２０に対する保持部材１０の軸線の角度θと方向を調整して、飛翔体１の離脱方向を可変にしている。
装着手段４０は、上記第一の実施の形態と同様の履物で構成されている。
【００３２】
従って、この第二の実施の形態に係る運動具Ｓを使用するときには、上記と同様に、装着手段４０の履物４１を足部Ｆに装着する。そして、図３に示すように、ボールからなる飛翔体１を筒状の保持部材１０に挿入して保持し、例えば、図２に示すように、予め、飛翔体１の目標Ｔ（標的）として、数メートル先に籠Ｔａなどを用意し、この目標Ｔめがけて、飛翔体１を飛ばすようにする。作用，効果は上記と同様である。
【００３３】
図４には、第三の実施の形態に係る運動具Ｓを示す。これは、第一の実施の形態に係る運動具Ｓにおいて、可変支持手段３０を変えたものである。この可変支持手段３０は、ボール３５をホルダ３６に回動可能に保持するボールジョイント３７で構成されており、棒状の保持部材１０の基端１１がボール３５に固定され、ホルダ３６が例えばボルト３８により取付部材２０に固定されている。尚、この可変支持手段３０は、第二の実施の形態に係る運動具Ｓにも適用できる。
【００３４】
図５には、第四の実施の形態に係る運動具Ｓを示す。これは、第一の実施の形態に係る運動具Ｓにおいて、装着手段４０を変えたものである。この装着手段４０は、取付部材２０の一方側側縁部２０ａと他方側側縁部２０ｂとの間に架け渡されて、足部Ｆにそのままあるいは靴を介して巻きかけられて装着される一対のベルト５０，５０で構成されている。ベルト５０は一方ベルト５１と他方ベルト５２に分割されている。一方ベルト５１の一端は取付部材２０の一方側側縁部２０ａに固定され、他端に第一面ファスナ５３が設けられている。他方ベルト５２の一端は取付部材２０の他方側側縁部２０ｂに固定され、他端に第一面ファスナ５３に係合する第二面ファスナ５４が設けられている。そして、一方ベルト５１と他方ベルト５２とは、第一面ファスナ５３と第二面ファスナ５４との係合により連結される。尚、この装着手段４０は、第二及び第三の実施の形態に係る運動具Ｓ，後述の第五及び第六の実施の形態にも適用できる。
【００３５】
図６には、本発明の第五の実施の形態に係る運動具Ｓを示す。これは、第三の実施の形態に係る運動具Ｓにおいて、保持部材１０を複数設けた例であり、装着手段４０である履物４１の覆い部４２の幅方向に沿って取付部材２０を拡張形成し、この取付部材２０に、上記のボールジョイント３７で構成される可変支持手段３０で支持した保持部材１０を、足部Ｆの甲Ｆｂの幅方向に沿って、中央，外側，内側の３個所に設けたものである。この運動具Ｓを使用するときは、何れかの保持部材１０を選択して、これに、飛翔体１を保持し、上記と同様に飛翔体１を飛ばす。この場合、位置の異なる甲Ｆｂの部位で夫々飛翔体１を飛ばすことができるので、限りなく実際のボールを蹴った時の「打感」に近くなる運動機能を習得することができるようになる。例えば、サッカーの場合でいえば、中央を選択した場合には通常のキックに対応し、外側を選択した場合にはアウトサイドキックに対応し、内側を選択した場合にはインサイドキックに対応して、どのように脚を振り、必要により、どのように捩じりを加えれば、所望の飛ばし方ができるかを習得することができるようになり、そのため、限りなく実際のボールを蹴った時の「打感」に近くなる運動機能を習得することができるようになるのである。
【００３６】
図７には、本発明の第六の実施の形態に係る運動具Ｓを示す。これは、第三の実施の形態に係る運動具Ｓにおいて、保持部材１０を移動機構６０を介して取付部材２０に対して移動可能にした例である。取付部材２０は、装着手段４０である履物４１の覆い部４２の幅方向に沿って拡張形成されている。移動機構６０は、取付部材２０の幅方向に沿って固設され上側に開放口６２のあるチャンネル状のレール６１と、ボールジョイント３７のホルダ３６に垂設されレール６１の開放口６２に挿通される雄ネジ部６３と、雄ネジ部６３の先端に設けられレール６１の開放口６２を構成する上壁６４の裏面に当接するネジ頭６５と、雄ネジ部６３に螺合されネジ頭６５と共働してレール６１の上壁６４を挾持するナット６６とから構成されている。
【００３７】
この第六の実施の形態に係る運動具Ｓを使用するときは、ナット６６を緩めて雄ネジ部６３を介して保持部材１０を移動させ、所望の位置でナット６６を締めつけることによりボールジョイント３７をレール６１に対して固定し、保持部材１０を取付部材２０の幅方向の所望の位置に位置決めする。そして、これに飛翔体１を保持し、上記と同様に飛翔体１を飛ばす。この場合、保持部材１０の移動により、保持部材１０を足部Ｆの甲Ｆｂの幅方向に沿って、所望の位置に位置決めできるので、位置の異なる甲Ｆｂの部位から夫々飛翔体１を飛ばすことができる。そのため、上記第五の実施の形態と同様に、限りなく実際のボールを蹴った時の「打感」に近くなる運動機能を習得することができるようになる。
【００３８】
尚、上記第一，第三乃至第六の実施の形態に係る運動具Ｓにおいて、飛翔体１は上述した円筒形のものに限定されるものではなく、図８（ａ）に示すように、他端開口が閉塞された謂わば試験管様の筒状部材でもよい。即ち、飛翔体１を、全長が棒状の保持部材１０よりも短く、一端に開口を有し他端が閉塞された円筒状に形成することができる。これによれば、棒状の保持部材１０の先端に飛翔体１の他端内側を当接させて保持できるので、押し出す時の当たりが一定でより安定した球筋にすることができる。また、図８（ｂ）に示すように、挿通穴２を貫通して設けたボールであってもよい。要するに、飛翔体１は、棒状の保持部材１０に挿通される挿通穴２を有しているものであれば、どのような形態のものでもよい。また、図８（ｂ）に示す運動具Ｓにおいては、保持部材１０に、飛翔体１の取付部材２０側の端部を支持する鍔形で板状の支持部材１５を設けている。この支持部材１５は、上記の棒状の各保持部材１０にそれぞれ適用してよい。この場合にも、支持部材１５に飛翔体１の端部を当接させて保持できるので、押し出す時の当たりが一定でより安定した球筋にすることができる。
【００３９】
また、上記第二の実施の形態に係る運動具Ｓにおいて、飛翔体１は上述したボールに限定されるものではなく、図８（ｃ）に示すように、筒状の保持部材１０に挿入されるロッドでもよく、適宜変更して差し支えない。また、上記と同様の円筒状のものでもよい。要するに、第二の実施の形態に係る運動具Ｓにおいては、飛翔体１はどのような形態のものでもよく、例えば、石であってもよい。石の場合には、例えば、河原などで、石を川に向けて飛ばすなどして、楽しむことができる。
【００４０】
また、保持部材１０は、上述した形態のものに限定されるものではなく、例えば、図９に示すように、ボールからなる飛翔体１が嵌合するカップ状に形成したものであってもよく、適宜変更して差し支えない。即ち、飛翔体１及び保持部材１０の形態は、上述した組み合わせに限定されない。例えば、保持部材を、飛翔体を磁着するマグネットを備えて構成してもよい。更に、保持部材を移動させる構成は、第六の実施の形態のように、甲Ｆｂの幅方向に限定されるものではなく、例えば、前後方向に移動させるように構成しても良い。
【００４１】
尚また、上記実施の形態においては、装着手段４０を、保持部材１０が足部Ｆの甲Ｆｂ上に位置するように取付部材２０を足部Ｆに装着可能に形成したが、必ずしもこれに限定されるものではなく、例えば、足首に装着するように構成する等、適宜変更して差し支えない。
【００４２】
更に、本発明の運動具の使用方法は、目標Ｔ（標的）として上記の数メートル先に置いた籠Ｔａ（図２）に飛翔体１を飛ばすことに限定されるものではなく、例えば、図１０（ａ）に示すように、バスケットボールのゴールＴｂのような目標Ｔ（標的）に向けて飛翔体１を飛ばすようにしても良く、あるいはまた、図１０（ｂ）に示すように、網製袋状の複数のポケットＴｃを行列状に列設し、これらのポケットＴｃを目標Ｔ（標的）として飛翔体１を飛ばすようにするなど適宜に用いて良い。ポケットではなく紙やカーテン様のものに標的を描いたものであっても良い。行列状のポケットＴｃに飛ばす場合には、各ポケットＴｃに異なる点数を付すなどして、複数の競技者で、点数を競うゲームを行う等することができる。要するに、本発明に係る運動具においては、練習具や訓練具としてのみならず、標的に向けて飛翔体を飛ばすゲーム用具として玩具やレジャー用品として種々に用いて良い。
【符号の説明】
【００４３】
Ｓ  運動具
Ｌ  脚（ｌｅｇ）
Ｆ  足部（ｆｏｏｔ）
Ｆａ  くるぶし（踝）
Ｆｂ  甲
Ｆｃ  爪先
Ｆｄ  踵
１  飛翔体
２  挿通穴
３  開口
５  開放口
６  基端
１０  保持部材
１１  基端
１２  先端
１３  基端部
２０  取付部材
２０ａ  一方側側縁部
２０ｂ  他方側側縁部
３０  可変支持手段
３１  一端
３２  他端
３５  ボール
３６  ホルダ
３７  ボールジョイント
３８  ボルト
４０  装着手段
４１  履物
４２  覆い部
４３  支持板
４４  前部
４５  バンド
Ｔ  目標
Ｔａ  籠
Ｔｂ  ゴール
Ｔｃ  ポケット
５０  ベルト
５１  一方ベルト
５２  他方ベルト
５３  第一面ファスナ
５４  第二面ファスナ
６０  移動機構
６１  レール
【図１】
2011152205.tif 000003
【図２】
2011152205.tif 000004
【図３】
2011152205.tif 000005
【図４】
2011152205.tif 000006
【図５】
2011152205.tif 000007
【図６】
2011152205.tif 000008
【図７】
2011152205.tif 000009
【図８】
2011152205.tif 000010
【図９】
2011152205.tif 000011
【図１０】
2011152205.tif 000012
【図１１】
2011152205.tif 000013